(57)【特許請求の範囲】
【請求項１】
水平状に周回する無端状のフイルターベルト（１）を張設し、このフイルターベルト（１）のろ過ゾーンの下面に沿って往復動自在なサクションボックス（６）を配設して、サクションボックス（６）をフイルターベルト（１）と同調して移動させながら真空吸引する真空脱水機において、サクションボックス（６）がフイルターベルト（１）と同調して走行する時に、フイルターベルト（１）とサクションボックス（６）の間に電磁力を励磁させることを特徴とする水平真空脱水機。
【請求項２】
上記フイルターベルト（１）の下面に磁性体（２４）と、サクションボックス（６）の上面に電磁石（２５）をそれぞれ配設し、サクションボックス（６）がフイルターベルト（１）と同調して走行する時に、サクションボックス（６）の電磁石（２５）に通電して、電磁力を励磁させることを特徴とする請求項１記載の水平真空脱水機。
【請求項３】
上記フイルターベルト（１）の下面に磁性体（２４）に代えて磁石（２４ａ）を取付けることを特徴とする請求項２記載の水平真空脱水機。
【請求項４】
上記サクションボックス（６）の走行終端で吸引を解いて元の位置に復帰する時に、サクションボックス（６）の電磁石（２５）に反発力を発生させることを特徴とする請求項３記載の水平真空脱水機。
【発明の詳細な説明】
【０００１】
【発明の属する技術分野】
この発明は、水平真空脱水機のサクションボックスをフイルターベルトと同調して走行させながら真空吸引する時に、気密性を向上させる装置に関する。
【０００２】
【従来の技術】
従来、水平状に周回する無端状のフイルターベルトを設け、このフイルターベルトのろ過ゾーンの下面に往復動自在なサクションボックスを配設して、フイルターベルトのろ過ゾーンに供給した原液を、サクションボックスをフイルターベルトと同調させて移動させながら真空吸引して、固液分離を行なう水平真空脱水機は、例えば、特公昭５５−３３３６８号公報に記載してあるようによく知られている。そして、出願人が提案した特公平５−５５２２号公報にあっては、サクシヨンボックスは、図６に示すように、▲１▼でフイルターベルトを吸着しベルトと一体となって右へ移動しながら真空吸引脱水し、所定の位置▲２▼に達したところで真空破壊となりベルトから分離し（▲３▼位置）、初期の位置▲４▼に瞬時に戻り、再度▲１▼でベルトを吸着し、以降このサイクルを繰り返すようにしてある。
【０００３】
【発明が解決しようとする課題】
然しながら、上記従来の水平真空脱水機は往復動自在なサクションボックスで真空吸引させるので、その構造が簡素化できるものであるが、フイルターベルトは柔軟性があり、ソフトであるが、多少のうねりや波打ち現象は避けられず、水平なサクションボックスとの密着性は必ずしも十分ではなかった。そして、密着性を高めるために、サクションボックスでフイルターベルトを押上げる状態で使用すると両者の密着性は向上するが、フイルターベルトが振動し、ケーキにクラックが生じることにより、脱水性を阻害する恐れがあった。この発明はフイルターベルトとサクションボックス間の気密性を高め、脱水性の向上とフイルターベルトの摩耗を軽減させる装置を提供する。
【０００４】
【課題を解決するための手段】
この発明は、上述のような従来の課題を解決したものであって、その要旨とするところは、水平状に周回する無端状のフイルターベルトを張設し、このフイルターベルトのろ過ゾーンの下面に沿って往復動自在なサクションボックスを配設して、サクションボックスをフイルターベルトと同調して移動させながら真空吸引する真空脱水機において、サクションボックスがフイルターベルトと同調して走行する時に、フイルターベルトとサクションボックスの間に電磁力を励磁させるものである。そして、電磁力を励磁させる手段が、フイルターベルトの下面に磁性体と、サクションボックスの上面に電磁石をそれぞれ配設し、サクションボックスがフイルターベルトと同調して走行する時に、サクションボックスの電磁石に通電して、電磁力を励磁させるものである。また、フイルターベルトの下面に磁性体に代えて磁石を取付け、サクションボックスの走行終端で吸引を解いて元の位置に復帰する時に、サクションボックスの電磁石に反発力を発生させてもよいものである。
【０００５】
【発明の実施の形態】
この発明に係る装置は、上述のように構成してあり、フイルターベルトのろ過ゾーンに供給した原液を、サクションボックスの電磁石に通電して電磁力を励磁させ、サクションボックスにフイルターベルトを吸着させて一体とし、サクションボックスをフイルターベルトと同調させて進行させながら真空吸引脱水し、所定の位置に達したところで真空破壊と同時に、サクションボックスの電磁石への通電を停止させ、あるいは、電磁石に反発力を発生させてサクションボックスをフイルターベルトから分離し、初期の位置に瞬時に戻し、再度サクションボックスにフイルターベルトを吸着させて、以降このサイクルを繰り返し、連続して固液分離を行なうものであって、真空吸引の真空度が上がり、低含水率のケーキ生成や、有効成分の分離回収効率が向上するものである。
【０００６】
【実施例】
この発明に係る実施例を図面に基づき詳述すると、先ず、図１において、符号１は柔軟性のあるフイルターベルトであって、前後のドライブプーリー２とテールプーリー３に掛け回して走行させるようにしてある。符号４は複数の案内ロール５…に張設したろ布であって、フイルターベルト１の周部に設けてあり、ろ布４はろ過ゾーンにおいてフイルターベルト１と一緒に走行するようにしてある。フイルターベルト１の下面には真空源に接続したサクションボックス６が配設してあり、フィードボックス７からフイルターベルト１のろ過ゾーンに供給した原液を真空吸引してろ液を分離するようにしてある。サクションボックス６と真空源の間には、真空を作用させる真空弁８と真空破壊させるための吸気弁９が設けてある。符号１０はろ布４のガイドローラー、符号１１はケーキ洗浄用の給水管である。
【０００７】
次に、フイルターベルト１とサクションボックス６について、図２及び図３に基づき詳述すると、フイルターベルト１は柔軟性のあるゴムまたはプラスチック素材からなつており、フイルターベルト１の表面に凹凸状のろ液溝と、その中央部に長手方向に等間隔に連通孔１ａが設けてあり、その両側縁は堰板状に外方に傾斜させて、ろ布４上に供給したろ過ゾーンの原液が越流しないようにしてある。フイルターベルト１の両側縁の裏面に沿って平板状のベルト受１２がフレーム１３に支架されており、走行する水平部のフイルターベルト１を支持するようにしてある。そして、フイルターベルト１の水平部において上部にろ布４を重ねて同じ速度で走行させ、ろ布４で分離したろ液を連通孔１ａから取出すようにしてある。フイルターベルト１の中央部下方には長方形状のサクションボックス６が脱水ゾーンに沿って配設してあり、サクションボックス６の上部中央部には細長い開口６ａが穿設してあり、この開口６ａが走行するフイルターベルト１の連通孔１ａの下方に対向するようにしてある。また、サクションボックス６の底部側壁に真空源に連通するろ液管６ｂが連結してあり、ろ液をサクションボックス６に吸引してろ布４上に供給した原液の固液分離を行なうようにしてある。
【０００８】
上記サクションボックス６のフイルターベルト１と同調して移動させる手段について、図２及び図３に基づき詳述すると、サクションボックス６の底部に連結した軸受台１４に複数のローラー１５…が軸支してあり、サクションボックス６をフイルターベルト１の前後方向に配設した一対のレール１６、１６上に載置してある。また、このレール１６は水平真空脱水機のフレーム１７に上下に伸縮する短い上下シリンダー１８に連結され、レール１６が上下に昇降できるようにしてある。そして、上下シリンダー１８により、サクションボックス６を上昇させてフイルターベルト１に接触させ、あるいは、サクションボックス６を下降させてフイルターベルト１から離間させるようにしてある。また、供給側のテールプーリー３の近傍に、図３に示すように、長尺の作動シリンダー１９がフレーム２０に取付けた受金具２１に枢支してあり、この作動シリンダー１９のピストンロッド２２がサクションボックス６のブラケット２３に枢着してある。そして、作動シリンダー１９でレール１６上に載置したサクションボックス６を、ろ過ゾーンの始端と終端の間を移動させるようにしてある。このサクションボックス６の移動する始端側と終端側の位置を検知する位置検知スイッチ（図示せず）がレール１６の近傍に設けてあり、位置検知スイッチの検知信号により真空弁８と吸気弁９の開閉と作動シリンダー１９の伸縮を切換えるようにしてある。なお、位置検知スイッチは作動シリンダー１９のピストンロッド２２の伸張と収縮端部を検知させてもよいものである。
【０００９】
フイルターベルト１とサクションボックス６の接触面には、図２及び図４に示すように、フイルターベルト１の下面に柔軟性のあるシート状の磁性体２４と、サクションボックス６の上面に電磁石２５が取付けてあり、この電磁石２５は、図５に示すように、電源２６に接続した回路２７が設けてある。そして、サクションボックス６の元の位置に復帰したろ過ゾーンの始端部を検知して、上下シリンダー１８を作動させてサクションボックス６を上昇させ、その検知信号により回路２７のスイッチ２８を入れてサクションボックス６の電磁石２５に通電して電磁力を励磁させ、この電磁石２５にフイルターベルト１の磁性体２４を吸着させて、フイルターベルト１にサクションボックス６を密着させ、同時に図１の真空弁８を開いてサクションボックス６を吸引して負圧とし、電磁力の吸着力と真空吸着力により、サクションボックス６をフイルターベルト１に密着させ、作動シリンダー１９をフリーの解放状態にして、サクションボックス６をフイルターベルト１に同調させて移動させながら、ろ過ゾーンに供給された原液を吸引してろ液を分離するようにしてある。
【００１０】
次に、サクションボックス６がフイルターベルト１に同調して移動したろ過ゾーンの終端部を検知して、真空源の真空弁８を閉塞し、吸気弁９を開放してサクションボックス６の真空破壊を行ない、同時にその検知信号により回路２７のスイッチ２８を切ってサクションボックス６の電磁石２５に通電を停止した後、上下シリンダー１８によりサクションボックス６を下降させ、作動シリンダー１９のピストンロッド２２を収縮させ、元の位置に復帰させたサクションボックス６を検知して再び上記の操作を繰返す。なお、作動シリンダー１９はピストンロッド２２の収縮速度をフイルターベルト１の走行速度より速くし、サクションボックス６を元の位置に速やかに復帰させるようにしてある。また、用途により、上下シリンダー１８を省略して、サクションボックス６をフイルターベルト１に摺接させなが元の位置に復帰させてもよいものである。
【００１１】
フイルターベルト１の下面に取付ける図２に示す柔軟性のあるシート状の磁性体２４を、図４に示すマグネットテープ等の磁石２４ａとしてもよく、サクションボックス６の電磁石２５に通電して電磁力を励磁させ、サクションボックス６の電磁石２５にフイルターベルト１の磁石２４ａを吸着させて、サクションボックス６の電磁石２５の回路２７に逆方向に通電して、反発力を励磁させればよいものである。
【００１２】
【発明の効果】
この発明は上記のように構成してあり、フイルターベルトとサクションボックスの間に電磁力を励磁させれば、気密性が向上するものである。即ち、従来装置にあっては、フイルターベルトとサクションボックスとの間隙を小さくすると、サクションボックスの戻り時のフイルターベルトとの摩擦が大となり、摩耗現象が増大する恐れがあったものであるが、この発明にあっては、フイルターベルトの下面に磁性体または磁石と、サクションボックスの上面に電磁石をそれぞれ配設したので、磁性体の吸着力と真空吸着力により、サクションボックスをフイルターベルトに密着させて、気密性が向上するものであり、脱水性の向上とフイルターベルトの摩耗が軽減されるものである。
【図面の簡単な説明】
【図１】この発明に係る水平真空脱水機の概念図である。
【図２】同じく、サクションボックスとフイルターベルトの関係を示す要部縦断面図である。
【図３】この発明に係るサクションボックスの作動手段を示す側面図である。
【図４】同じく、電磁力を発生させるサクションボックスとフイルターベルトを取出して示す概念図である。
【図５】同じく、サクションボックスに取付ける電磁石と回路の概念図である。
【図６】同じく、サクションボックスの作動説明図である。
【符号の説明】
１  フイルターベルト
６  サクションボックス
２４  磁性体
２４ａ  磁石
２５  電磁石
【図１】
0003606136.tif 000002
【図２】
0003606136.tif 000003
【図３】
0003606136.tif 000004
【図４】
0003606136.tif 000005
【図５】
0003606136.tif 000006
【図６】
0003606136.tif 000007